(57)【要約】【課題】防水性の構成が簡素に形成されて製造性が向上する片口金形の蛍光ランプおよびこの蛍光ランプを装着する照明器具を提供する。【解決手段】蛍光ランプ１は、一対の直管部７，７が平行となるように屈曲形成されたバルブ６を有する発光管２と、バルブ６の両端部６ａ，６ａをそれぞれ収容する収容部１７および外面１４ｂ側に配設された接続子１５を有する樹脂製の口金３と、バルブ６の端部６ａおよび収容部１７の内壁の間の一部分に付着されてバルブ６の端部６ａを収容部１７の内壁に固着する熱硬化性の接着材４と、接着材４が付着された部分よりも接続部８側のバルブ６の端部６ａにその外周に亘って密着するように配設され収容部１７の内壁に圧接する弾性ゴム５を具備する。【選択図】図１
2008140700.tif 000002
【特許請求の範囲】
【請求項１】
一対の直管部が平行となるように接続部を介して屈曲形成されたバルブ、このバルブの両端部にそれぞれ封装された電極およびこの電極に接続されてバルブの両端部の端面側からそれぞれ導出されたリード線を有する発光管と；
前記バルブの両端部をそれぞれ収容する収容部およびこの収容部から前記リード線が接続可能に外面側に配設された接続子を有する樹脂製の口金と；
前記バルブの端部および前記収容部の内壁の間の一部分に付着されて前記バルブの端部を前記収容部の内壁に固着する熱硬化性の接着材と；
この接着材が付着された部分よりも接続部側の前記バルブの端部にその外周に亘って密着するように配設され前記収容部の内壁に圧接する弾性ゴムと；
を具備していることを特徴とする蛍光ランプ。
【請求項２】
弾性ゴムは、Ｏリングからなり、前記バルブの端部に嵌挿されていることを特徴とする請求項１記載の蛍光ランプ。
【請求項３】
弾性ゴムの前記バルブの接続部側の表面には、バルブの端部に付着された接着材と同じ接着材が前記バルブの外周に亘ってさらに塗布されていることを特徴とする請求項１または２記載の蛍光ランプ。
【請求項４】
請求項１ないし３いずれか一記載の蛍光ランプと；
この蛍光ランプが装着されるソケットを配設している器具本体と；
を具備していることを特徴とする照明器具。
【発明の詳細な説明】
【技術分野】
【０００１】
本発明は、防水構造を有する蛍光ランプおよびこの蛍光ランプを装着している照明器具に関する。
【背景技術】
【０００２】
水分や塵埃が多量に存在する環境下においては、蛍光ランプの口金部分に水分や塵埃が浸入し、この水分や塵埃が接続ピンなどの給電部などに付着することにより、漏電や短絡等の電気事故が発生しやすい。このため、例えば照明器具の開口側を防水用又は防塵用のカバーで覆い、照明器具の内部を水密又は気密にすることにより、水分や塵埃が浸入することを防止している。しかしながら、蛍光ランプの多品種化、用途の多様化などにより、蛍光ランプ自体で水分や塵埃の浸入を防止することの要望が多くなってきている。
【０００３】
蛍光ランプ自体が防水性を有するものとして、例えば、熱硬化性のシリコーン樹脂により発光管と口金の間を完全に塞いでいる片口金形の蛍光ランプが提案されている（特許文献１参照。）。この従来技術の蛍光ランプは、発光管端部が挿入された収納部において、発光管端部が発光管端部の周囲に亘り収納部の内壁と確実に接触するように例えばシリコーン樹脂からなる接着材が注入されるので、口金と発光管の接着強度が高くなるものである。そして、発光管端部を収納部に挿入するときに通過する収納部の開口側の挿入孔も接着材で完全に塞いでいるので、防水性が向上している。
【０００４】
また、ガラス製の略Ｕ字形蛍光管本体と、この蛍光管本体の両端部を互いに離間して固定している口金の台座部との連結部を非導電性樹脂製のシール材でシールしている蛍光管などが提案されている（特許文献２参照。）。この従来技術の蛍光管は、シール材が蛍光管本体の両端部の外周面の外側はもとより、両端部間の隙間にも充填されている。そして、シール材は、軟化又は溶融した非導電性樹脂材料（例えばシリコーン樹脂）を蛍光管本体の両端部の周囲に注入して固化させた固化物からなっている。これにより、蛍光管本体側から液体（水分）や塵埃が口金の内部に浸入することが防止されるというものである。
【特許文献１】特開２００４−６３４０５号公報（第６頁、第１図）
【特許文献２】特開２００３−２０３５１９号公報（第５頁、第２図）
【発明の開示】
【発明が解決しようとする課題】
【０００５】
特許文献１の蛍光ランプおよび特許文献２の蛍光管は、発光管と口金の間を塞ぐのに、熱硬化性の例えばシリコーン樹脂を多量に用いるので、シリコーン樹脂の硬化（固化）のための加熱を要し、口金が熱損傷しない温度以下で加熱することにより、シリコーン樹脂を硬化（固化）させるための時間を要する。この結果、蛍光ランプおよび蛍光管は、製造性の向上が図りづらいという欠点を有する。また、加熱時に、シリコーン樹脂の内部の空気がシリコーン樹脂から抜けてピンホールとなることがあり、これにより、発光管の端部側の見栄えや美観が損なわれるおそれがある。
【０００６】
本発明は、防水性の構成が簡素に形成されて製造性が向上する片口金形の蛍光ランプおよびこの蛍光ランプを装着する照明器具を提供することを目的とする。
【課題を解決するための手段】
【０００７】
請求項１に記載の蛍光ランプの発明は、一対の直管部が平行となるように接続部を介して屈曲形成されたバルブ、このバルブの両端部にそれぞれ封装された電極およびこの電極に接続されてバルブの両端部の端面側からそれぞれ導出されたリード線を有する発光管と；前記バルブの両端部をそれぞれ収容する収容部およびこの収容部から前記リード線が接続可能に外面側に配設された接続子を有する樹脂製の口金と；前記バルブの端部および前記収容部の内壁の間の一部分に付着されて前記バルブの端部を前記収容部の内壁に固着する熱硬化性の接着材と；この接着材が付着された部分よりも接続部側の前記バルブの端部にその外周に亘って密着するように配設され前記収容部の内壁に圧接する弾性ゴムと；を具備していることを特徴とする。
【０００８】
本発明および以下の各発明において、特に言及しない限り各構成は以下による。
【０００９】
バルブの両端部の端面は、同一平面状に位置していなくてもよい。
【００１０】
接着材は、電極が封装されたバルブの端部に付着するので、電極からの熱により硬化する熱硬化性、耐熱性、耐紫外線などの耐光性を有するものであり、例えばシリコーン樹脂である。
【００１１】
「接着材がバルブの端部および収容部の間の一部分に付着される」とは、発光管を口金に固着できる最小量の接着材が付着されていればよいことを意味する。そして、接着材がバルブの端部および収容部の間に付着されたときに、発光管が口金に固着されるように接着材を熱硬化させてもよく、接着材により発光管を口金に仮固定させ、その後の発光管の点灯による熱で接着材を熱硬化させて発光管を口金に固着させるようにしてもよい。
【００１２】
弾性ゴムは、耐熱性および耐光性を有してなり、例えばシリコーン樹脂により形成することができる。そして、弾性ゴムは、接着材とともに、発光管を口金に固定する役目も果たしている。すなわち、弾性ゴムも発光管を口金に固定させるので、接着材がバルブの端部および収容部の間の一部分に付着されても、発光管は、口金に安定して固定される。
【００１３】
本発明によれば、弾性ゴムは、バルブの端部の外周に亘って密着し収容部の内壁に圧接するので、弾性ゴムによってバルブの端部側から口金の内部に水分が浸入することが阻止される。また、接着材は、弾性ゴムが配設された部分よりもバルブ端縁方向のバルブ端部および収容部の間に部分的に付着されるので、接着材の使用量が減少し、発光管を口金に固着させるための熱硬化の加熱時間を短縮することができる。
【００１４】
請求項２に記載の蛍光ランプの発明は、請求項１記載の蛍光ランプにおいて、弾性ゴムは、Ｏリングからなり、前記バルブの端部に嵌挿されていることを特徴とする。
【００１５】
Ｏリングは、バルブの両端部が口金の収容部に収容される前にバルブの端部にそれぞれ嵌挿され、発光管が口金に固着（仮固着）された後、収容部に導入される。
【００１６】
本発明によれば、弾性ゴムは、Ｏリングからなり、バルブ端部に嵌挿されているので、口金の収容部での配設が容易に行える。
【００１７】
請求項３に記載の蛍光ランプの発明は、請求項１または２記載の蛍光ランプにおいて、弾性ゴムの前記バルブの接続部側の表面には、バルブの端部に付着された接着材と同じ接着材が前記バルブの外周に亘ってさらに塗布されていることを特徴とする。
【００１８】
接着材は、例えば低粘度のシリコーン樹脂を用いることができる。
【００１９】
本発明によれば、弾性ゴムのバルブの接続部側の表面に塗布された接着材が弾性ゴムとバルブの端部および収容部の内壁との間の微小な隙間を塞ぐので、水分がバルブの端部側から口金の内部にさらに浸入しにくくなる。
【００２０】
請求項４に記載の照明器具の発明は、請求項１ないし３いずれか一記載の蛍光ランプと；この蛍光ランプが装着されるソケットを配設している器具本体と；を具備していることを特徴とする。
【００２１】
本発明によれば、請求項１ないし３いずれか一記載の蛍光ランプを配設するので、水分がバルブの端部側から口金の内部に浸入することを防止することが可能な照明器具が提供される。
【発明の効果】
【００２２】
請求項１の発明によれば、バルブの端部と口金の収容部の間に配設された弾性ゴムによってバルブの端部側から口金の内部に水分が浸入することが阻止されるので、簡素な構成で防水性を有する蛍光ランプを形成することができ、また、発光管を口金に固着させるための接着材が弾性ゴムが配設された部分よりもバルブ端縁方向のバルブの端部および収容部の間に部分的に付着されるので、接着材の使用量が減少して熱硬化の加熱時間が短縮化され、蛍光ランプの製造性が向上する。
【００２３】
請求項２の発明によれば、弾性ゴムは、Ｏリングからなり、バルブの端部に嵌挿されているので、口金の収容部での配設を容易に行えて製造性が向上するとともに、簡素な構成でバルブの端部側の防水性を図ることができる。
【００２４】
請求項３の発明によれば、弾性ゴムのバルブの接続部側の表面にバルブの外周に亘って接着材が塗布されているので、接着材によってバルブの端部側の防水性を向上させることができる。
【００２５】
請求項４の発明によれば、請求項１ないし３いずれか一記載の蛍光ランプを配設するので、バルブの端部側から口金の内部に水分が浸入することによる短絡や漏電などの電気事故を防止することが可能な照明器具を提供することができる。
【発明を実施するための最良の形態】
【００２６】
以下、本発明の一実施の形態について、図面を参照して説明する。まず、本発明の第１の実施形態について説明する。
【００２７】
図１ないし図３は、本発明の第１の実施形態を示し、図１は蛍光ランプの口金側における一部切り欠き概略正面図、図２は蛍光ランプの口金の概略平面図、図３は蛍光ランプであり、（ａ）は概略正面図、（ｂ）は概略下面図である。
【００２８】
図１において、蛍光ランプ１は、片口金形蛍光ランプであり、発光管２、口金３、接着材４および弾性ゴム５を有して構成されている。
【００２９】
発光管２は、透光性を有する例えばソーダライムガラス（ＬＭガラス）やバリウムシリケートガラス（無鉛ガラス）などからなる屈曲形のバルブ６を有している。このバルブ６は、図３（ａ）に示すように、平行となるように並列に配列された一対の直管部７，７を有し、これら直管部７，７の先端側が接続部（連通管）８を介して互いに連通接続されたＨ字形に形成されている。一対の直管部７，７間は、例えば熱硬化性のシリコーン樹脂からなるスペーサ９によって互いに固定されている。そして、各直管部７は、蛍光ランプ１の電力に応じた適宜の全長を有していて、例えば１０００ｍｍ以上に形成されている。
そして、バルブ６（直管部７，７）の内面には、例えば三波長発光形蛍光体やハロリン酸蛍光体などの蛍光体膜（図示しない。）が形成されている。また、バルブ６の内部には、アルゴン（Ａｒ）などの希ガスや水銀（図示しない。）が封入されている。
【００３０】
バルブ６は、並列に配列された一対の直管部７，７に応じて、図１に示すように、両端部６ａ，６ａが平行となるように形成され、両端部６ａ，６ａの端面６ａ１，６ａ１が同一平面状に位置するように形成されている。そして、両端部６ａ，６ａにそれぞれ図示しない電極が封装されている。電極は、例えば、ステムに対して一対のウエルズで支持されたフィラメント１０を有してなり、ステムのバルブ６の両端部６ａ，６ａへの溶着により両端部６ａ，６ａにそれぞれ封装されている。そして、両端部６ａ，６ａの端面６ａ１，６ａ１には、バルブ６内を排気して希ガスおよび水銀を封入した後に封止されたステムの排気管（細管）１１，１１が突出されている。また、それぞれの電極の一対のウエルズに接続された一対のリード線１２ａ，１２ａおよび一対のリード線１３ａ，１３ａが両端部６ａ，６ａの端面６ａ１，６ａ１側からそれぞれ導出されている。
【００３１】
口金３は、例えばコンパクト形蛍光ランプ用のＧＹ１０ｑ形であり、口金本体１４およびこの口金本体１４の外面側に配設された接続子としての４本の接続ピン１５を有して形成されている。
【００３２】
口金本体１４は、例えばポリブチレンテレフタレート（ＰＢＴ）樹脂などの絶縁性を有する樹脂製で、図２に示すように、外周面が断面略長円形状に形成されているとともに、両端面１４ａ，１４ｂが略平面状に形成されている。そして、口金本体１４の外周面には、長手方向の両側位置にソケットへの取付用突部１６，１６が形成されている。また、一端面１４ａには、バルブ６（発光管２）の両端部６ａ，６ａをそれぞれ収容する一対の収容部１７，１７が並設に形成され、他端面１４ｂには、図３（ｂ）に示すように、４本の接続ピン１５が突設されている。
【００３３】
収容部１７，１７は、図１に示すように、バルブ６の両端部６ａ，６ａの挿入を許容するようにバルブ６の直径よりも幾分大きい円柱形状に形成されている。そして、収容部１７，１７の底面は、バルブ６の両端部６ａ，６ａの端面６ａ１，６ａ１が接触することのできる端面保持部１８，１８に形成されている。この端面保持部１８，１８には、バルブ６の両端部６ａ，６ａの端面６ａ１，６ａ１から突出している排気管１１，１１が挿入される円柱状の凹部１９，１９が形成され、さらにバルブ６の両端部６ａ，６ａの端面６ａ１，６ａ１からそれぞれ導出しているリード線１２ａ，１２ａおよびリード線１３ａ，１３ａが挿通される一辺が円弧状の略四角柱状の凹部２０，２０が形成されている。
【００３４】
そして、凹部２０，２０の底面には、それぞれ口金本体１４の他端面１４ｂに貫通している一対の挿通孔２１，２１が並設に形成されている。リード線１２ａ，１２ａおよびリード線１３ａ，１３ａは、凹部１９，１９および凹部２０，２０を通過して挿通孔２１，２１に挿入され、それぞれ接続ピン１５，１５に電気接続されている。すなわち、各接続ピン１５は、リード線１２ａ，１３ａを先端側でカシメまたははんだにより接続している。そして、各接続ピン１５は、各挿通孔２１の位置に対応して口金本体１４の他面側１４ｂから突設されている。
【００３５】
接着材４は、熱硬化性の例えばシリコーン樹脂からなり、バルブ６の両端部６ａ，６ａを口金３の収容部１７の内壁および端面保持部１８にそれぞれ固着している。すなわち、バルブ６のバルブ端縁側の両端部６ａ，６ａにそれぞれ接着材４を付着し、バルブ６の両端部６ａ，６ａを口金３の収容部１７に挿入して、収容部１７の端面保持部１８に当接させる。そして、口金本体１４の一端面１４ａ側からバルブ６および収容部１７の内壁の間に、樹脂製の口金本体１４を熱損傷させない温度の温風が導入される。接着材４は、温められて固化する。ここで、接着材４は、バルブ６の端部６ａおよび口金３の収容部１７の内壁の間の一部分に付着され、その付着量が小さいので、温風により短時間で固化する。こうして、接着材４は、バルブ６（発光管２）を口金本体１４に固着している。
【００３６】
弾性ゴム５は、例えばシリコーン樹脂のＯリングからなり、口金３の収容部１７において、接着材４よりもバルブ６の接続部８側（口金本体１４の一端面１４ａ側）のバルブ６の端部６ａに嵌挿されて配設されている。Ｏリング５は、バルブ６の端部６ａの外周に亘ってバルブ６に密着し、かつ収容部１７の内壁に圧接する大きさに形成されている。
【００３７】
Ｏリング５は、バルブ６の両端部６ａ，６ａが収容部１７に挿入される前に、バルブ６の端部６ａに嵌挿される。そして、接着材４により、バルブ６の両端部６ａ，６ａが収容部１７，１７の内壁および端面保持部１８，１８に固着された後、口金本体１４の一端面１４ａ側のバルブ６の端部６ａおよび収容部１７の内壁の間に押し込まれる。Ｏリング５は、撥水性を有し、口金本体１４の外方側からの雨水や湿気などの水分が収容部１７の内部に浸入することを阻止する。
【００３８】
次に、本発明の第１の実施形態の作用について述べる。
【００３９】
蛍光ランプ１を装着している照明器具は、例えば建物の玄関や駅などの出入口に配設されていると、横風にあおられた雨水が蛍光ランプ１に振り懸かることがある。また、当該照明器具が浴場などの湿気の大きい場所に配設されていると、水滴が蛍光ランプ１に付着することがある。そして、雨水や水滴などの水分は、バルブ６の両端部６ａ，６ａ側および口金３の口金本体１４の一端面１４ａ側にも付着し、バルブ６の端部６ａ側から口金本体１４の内部に浸入しようとする。
【００４０】
しかし、口金本体１４の一端面１４ａ側のバルブ６の端部６ａおよび口金３の収容部１７の間には、Ｏリングからなる弾性ゴム５がバルブ６の外周に亘って密着し収容部１７の内壁に圧接しているので、撥水性の弾性ゴム５によって、水分が収容部１７の内部に浸入することが阻止される。したがって、バルブ６の両端部６ａ，５ａの端面６ａ１，６ａ１側からそれぞれ導出された各リード線１２ａ，１３ａ間または口金本体１４の他端面１４ｂに突出形成された各接続ピン１５間の短絡や接続ピン１５から照明器具への漏電などの電気事故を防止することができる。
【００４１】
そして、弾性ゴム５は、Ｏリングを前もってバルブ６の端部６ａに嵌挿して、接着材４によりバルブ６の両端部６ａ，６ａが収容部１７に固着された後に口金本体１４の一端面１４ａ側の収容部１７に押し込んで導入するので、弾性ゴム５の収容部１７での配設を手間が掛からずに容易に行うことができて、弾性ゴム５の配設のための製造性を向上させることができる。また、弾性ゴム５は、Ｏリングからなるので、蛍光ランプ１は、簡素な構成でバルブの端部６ａ側の防水性を図ることができる。
【００４２】
そして、バルブ６の両端部６ａ，６ａを口金３の収容部１７に固着する接着材４は、収容部１７において、バルブ６の端部６ａおよび収容部１７の内壁の一部分に付着されるので、その付着量は少ないものである。これにより、接着材４は、温風による熱硬化の加熱時間が短くなり、バルブ６を口金３に固着する製造の省力化が図られる。この結果、蛍光ランプ１の製造性を向上できて、蛍光ランプ１を安価に形成することができる。
【００４３】
また、接着材４の付着量が少ないことにより、接着材４がリード線１２ａ，１２ａおよびリード線１３ａ，１３ａに付着することが防止され、リード線１２ａ，１２ａおよびリード線１３ａ，１３ａと各接続ピン１５との電気的接続を支障なく行うことができる。
【００４４】
なお、弾性ゴム５は、Ｏリングでなくてもよく、例えばシリコーン樹脂を口金本体１４の一端面１４ａ側のバルブ６の端部６ａおよび口金３の収容部１７の内壁の間に押し込み、シリコーン樹脂がバルブ６の端部６ａの外周に亘ってバルブ６に密着しかつ収容部１７の内壁に圧接するように形成してもよい。これによっても、水分がバルブ６の端部６ａ側から収容部１７の内部に浸入することを防止でき、バルブ６の端部６ａ側の防水性を図ることができる。
【００４５】
また、弾性ゴム５は、口金本体１４の一端面１４ａ側（バルブ６の接続部８側）の表面に、接着材４がバルブ６の外周に亘って塗布されるようにしてもよい。ここで、接着材４は、例えば低粘度のシリコーン樹脂とすることができる。接着材４は、弾性ゴム５とバルブ６の端部６ａおよび収容部１７の内壁との微小な隙間を塞ぐので、水分がバルブ６の端部６ａ側から収容部１７の内部にさらに浸入しにくくなり、バルブ６の端部６ａ側での防水性を向上させることができる。
【００４６】
次に、本発明の第２の実施形態について説明する。
【００４７】
図４は、本発明の第２の実施形態を示す照明器具の概略外観図である。なお、図３と同一部分には同一符号を付して説明は省略する。
【００４８】
図４に示す照明器具２２は、天井や壁面などの造営物または取付用レールなどに直付けされる直付形照明器具であり、略箱状の器具本体２３に蛍光ランプ１が配設されている。
【００４９】
器具本体２３は、下面が開口した浅い箱状の基体２４と、基体２４の下面開口を閉塞する下面カバー２５と、基体２４の一端部に配設されたソケット２６と、基体２４の他端部に配設されたランプホルダー２７などを具備している。蛍光ランプ１は、口金３がソケット２６に装着され、直管部７，７の先端側がランプホルダー２７に支持されている。また、器具本体２３の内部には、蛍光ランプ１を点灯する点灯装置（図示しない。）が配設されている。
【００５０】
そして、下面カバー２５は、カバー枠２８およびこのカバー枠２８に装着されたガラス板２９からなり、それぞれ複数のヒンジ３０およびラッチ３１によって基体２４に対して開閉自在に取り付けられている。器具本体２３は、複数の取付アーム３２によって造営物などに取り付けられる。
【００５１】
照明器具２２は、バルブ６の端部６ａ側の防水性が図られた蛍光ランプ１を具備するので、例えば横風等によって雨水が蛍光ランプ１に降り懸かっても、バルブ６の端部６ａ側から口金３の内部に水分が浸入することを防止することができ、当該水分の浸入による短絡や漏電の電気事故を防止することができる。
【図面の簡単な説明】
【００５２】
【図１】本発明の第１の実施形態を示す蛍光ランプの口金側における一部切り欠き概略正面図。
【図２】同じく、蛍光ランプの口金の概略平面図。
【図３】同じく、蛍光ランプであり、（ａ）は概略正面図、（ｂ）は概略下面図。
【図４】本発明の第２の実施形態を示す照明器具の概略外観図。
【符号の説明】
【００５３】
１…蛍光ランプ
２…発光管
３…口金
４…接着材
５…弾性ゴム
２２…照明器具
２３…照明器具本体
【図１】
2008140700.tif 000003
【図２】
2008140700.tif 000004
【図３】
2008140700.tif 000005
【図４】
2008140700.tif 000006